(57)【特許請求の範囲】
【請求項１】
水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の吸込口移動手段が設けられたことを特徴とする、二重エダクター式水域浄化装置。
【請求項２】
水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の途中に、同吸水管の内部水を外部水により冷却するための熱交換器が設けられたことを特徴とする、二重エダクター式水域浄化装置。
【請求項３】
水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の途中に、所要の添加剤を混入させるための添加剤貯槽が接続されていることを特徴とする、二重エダクター式水域浄化装置。
【請求項４】
水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、上記駆動水に気体を溶かし込むための気体供給管が、上記駆動水供給系に接続されていることを特徴とする、二重エダクター式水域浄化装置。
【発明の詳細な説明】
【０００１】
【発明の属する技術分野】
本発明は、エダクターを用いた水域浄化装置に関する。
【０００２】
【従来の技術】
従来の水域浄化装置の一例として図６（縦断面図）に示すようなものがあり、上下端の開いた竪型導管２が、上部外周に浮力材10をそなえるとともに、下端を係留索８で水底のシンカー９に係留されている。また、導管２の下部外周を取り囲む空気室７が、下端を開くようにして設けられており、同空気室７の下縁は導管２の下縁よりも低いレベルに設定されている。さらに、空気室７の上部には圧縮空気送給用ホース３が接続されており、同ホース３を通じ空気室７の内部に送り込まれた空気の層７ａが形成されるようになっている。そして、同空気層７ａが、導管２の下端よりも深くなると、導管２の内部へ空気が回り込み、気泡２ａとなって上昇するようになる。
これに伴い、水底付近の水が上方へ移送されるようになり、水塊交換の作用が行なわれて、水域の浄化がもたらされるようになっている。
【０００３】
また、図７(ａ),(ｂ)に示す従来の水域浄化装置では、いずれも船舶などから吊り下ろされる導管２が、水中で適宜の姿勢に保持されるようになっており、外部からの駆動軸15および歯車機構６からなる駆動系または給電ケーブル25およびモーター24からなる駆動系で回転軸17を介しインペラ14が作動することにより、水流が発生して水域の浄化が行なわれるようになっている。
【０００４】
【発明が解決しようとする課題】
ところで、前述のような従来の水域浄化装置では、積極的に伴流を生起させることが難しく、水域浄化の効率が高くならないという不具合がある。
そこで本発明は、水流案内筒の内部に、内部エダクターを同心的に配置した二重エダクター方式の採用により、伴流の生起を積極的に行なわせて、十分な水域浄化効率を得られるようにした、二重エダクター式水域浄化装置を提供することを課題とする。
【０００５】
【課題を解決するための手段】
前述の課題を解決するため、本発明の二重エダクター式水域浄化装置は、水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の吸入口移動手段が設けられたことを特徴としている。
【０００６】
また、本発明の二重エダクター式水域浄化装置は、水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の途中に、同吸水管の内部水を外部水により冷却するための熱交換器が設けられたことを特徴としている。
【０００７】
さらに、本発明の二重エダクター式水域浄化装置は、水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、同吸水管の途中に、所要の添加剤を混入させるための添加剤貯槽が接続されていることを特徴としている。
【０００８】
また、本発明の二重エダクター式水域浄化装置は、水中に設置され両端の開いた水流案内筒と、同水流案内筒の内部に同心的に配置された内部エダクターとからなる二重エダクターをそなえるとともに、上記内部エダクターの内部ノズルに駆動水を送る駆動水供給系と、同内部エダクターの内部へ伴流水を送る吸水管とをそなえ、上記駆動水に気体を溶かし込むための気体供給管が、上記駆動水供給系に接続されていることを特徴としている。
【０００９】
上述の本発明の二重エダクター式水域浄化装置では、両端の開いた水流案内筒の内部に同心的に配置された内部エダクターが、その内部ノズルに駆動水を送り込まれるという二重エダクター方式により、上記内部エダクター自体に上記駆動水に伴う伴流を生じるほか、同内部エダクターからの水流により、同水流に伴う伴流を上記水流案内筒にも生じるので、上記内部エダクターへの駆動水の送給の割に、全体として大量の伴流が生起されるようになる。
【００１０】
そして、上記内部エダクターの内部へ伴流水を送る吸水管の吸込口の移動手段が設けられると、所要の水塊交換作用が的確に行なわれるようになり、上記大量の伴流の生起と相まって、水域浄化効率の大幅な向上が期待される。
【００１１】
また、上記吸水管の途中に、同吸水管の内部水を冷却するための熱交換器が設けられると、同吸水管を経由し上記内部エダクターの伴流として流出する水流の発生が促進され、水域浄化効率が一層高められるようになる。
【００１２】
さらに、上記吸水管の途中に、所要の添加剤を混入させるための添加剤貯槽が接続されていると、必要に応じ伴流中に所要のペーハー（酸性／アルカリ性）調整剤や殺藻剤，薬剤等を適時適切に広範囲にわたって偏ることなく混入できる利点が得られる。
【００１３】
また前記駆動水供給系に接続された気体供給管により、駆動水中に所要の気体（空気，酸素ガス，オゾンガス等）を溶かし込むように構成されていると、駆動水中への所要気体の溶解を瞬時に効率よく行なえる利点があり、従来の曝気手段による気体の溶解方式に比べて、設備のコンパクト化をもたらすことができる。
【００１４】
【発明の実施の形態】
以下、図面により本発明の実施形態について説明すると、図１，２は本発明の第１実施形態としての二重エダクター式水域浄化装置を示すもので、図１はその要部の縦断面図、図２はその全体構成を示す側面図であり、図３は本発明の第２実施形態としての二重エダクター式水域浄化装置の全体構成を示す側面図、図４は本発明の第３実施形態としての二重エダクター式水域浄化装置の全体構成を示す側面図、図５は本発明の第４実施形態としての二重エダクター式水域浄化装置の全体構成を示す側面図である。
【００１５】
まず本発明の第１実施形態について説明すると、図１および図２に示すように、両端の開いた水流案内筒401が、水底に着座する架台413を介して水中に水平に設置されている。
【００１６】
そして、水流案内筒401の内部に、ケーシング302で覆われた内部エダクター301が同心的に配置されており、これにより内部エダクター301からの水流ａで水流案内筒401内に伴流ｂが生じるので、全体として二重エダクターが構成されていることになる。
【００１７】
内部エダクター301には、その内部ノズル301ａに駆動水を送る駆動水供給系304が接続されるほか、同内部エダクター301の内部へ伴流水を送る吸水管305が接続され、同吸水管305の上端にはストレーナ付き吸込口306が設けられている。
【００１８】
また、吸水管305を可撓性のホースで形成し、ストレーナ付き吸込口306に浮力材を付設することによって、同ストレーナ付き吸込口306の水中での位置は次のように上下方向に自由に移動させることができる。すなわち、図２に示すように台船410上の巻取機406で巻取られるロープ406ａが、水流案内筒401に装着されたアイ404を経由してストレーナ付き吸込口306にに係止されており、これにより巻取機406でロープ405を巻取るのに伴いストレーナ付き吸込口306は水中で降下し、逆に巻取機406がロープ405を繰り出せばストレーナ付き吸込口306は水中で上昇するようになる。
【００１９】
なお、駆動水供給系304への駆動水の供給は台船410のポンプ408により行なわれ、同ポンプ408の吸込口にもストレーナ409が設けられている。
また台船410は、水底のシンカー412に係留索411で係留されるようになっている。
【００２０】
上述の発明の第１実施形態では、両端の開いた水流案内筒401の内部に同心的に配置された内部エダクター301が、その内部ノズル301ａに駆動水を送り込まれるという二重エダクター方式により、内部エダクター301自体に上記駆動水に伴う伴流を生じるほか、同内部エダクター301からの水流ａにより、同水流ａに伴う伴流ｂを水流案内筒401にも生じるので、内部エダクター301への駆動水供給系304による駆動水の送給の割に、全体として大量の伴流が生起されるようになる。
【００２１】
そして、内部エダクター301の内部へ伴流水を送る吸水管305のストレーナ付き吸込口306の移動手段としてのアイ404, ロープ405, 巻取機406が設けられると、所要の水塊交換作用が的確に行なわれるようになり、上記大量の伴流の生起と相まって、水域浄化効率の大幅な向上が期待される。
【００２２】
次に本発明の第２実施形態としての二重エダクター式水域浄化装置について説明すると、図３に示すように、本実施形態の場合も、両端の開いた水流案内筒401が、水底に着座する架台413を介して水中に水平に設置されている。
そして、水流案内筒401の内部に、第１実施形態と同様に内部エダクター301（図１参照）が同心的に配置されて、全体として二重エダクターが構成されている。
【００２３】
また、内部エダクター301には、その内部ノズル301ａに駆動水を送る駆動水供給系304が接続されるほか、同内部エダクター301の内部へ伴流水を送る吸水管305が接続され、同吸水管305の上端にはストレーナ付き吸込口306が設けられている。
駆動水供給系304への駆動水の供給は台船410のポンプ408により行なわれ、同ポンプ408の吸込口にもストレーナ409が設けられている。
また台船410は、水底のシンカー412に係留索411で係留されるようになっている。
【００２４】
この第２実施形態では、特に吸水管305の途中に、同吸水管305の内部水を外部水により冷却するための熱交換器501が設けられている。
【００２５】
上述のように構成された第２実施形態では、前述の第１実施形態と同様の二重エダクター方式により、全体として大量の伴流が生起されるようになり、特に吸水管305の途中に、同吸水管305の内部水を冷却するための熱交換器501が設けられるので、同吸水管305を経由し内部エダクター301の伴流として流出する水流の発生が促進され、水域浄化効率が一層高められるようになる。
【００２６】
次に本発明の第３実施形態としての二重エダクター式水域浄化装置について説明すると、図４に示すように、本装置は前述の第２実施形態と全く同様の構成を有するほか、さらに吸水管305の途中に、所要の添加剤を混入させるための添加剤貯槽601が、ポンプ602, バルブ603およびホース604を介して接続されている。
【００２７】
上述の本発明の第３実施形態では、前述の第２実施形態と同様に大量の伴流を発生して、効率のよい水域浄化作用が行なわれるほか、吸水管305の途中に、所要の添加剤貯槽601が接続されているため、必要に応じ伴流中に所要のペーハー（酸性／アルカリ性）調整剤や殺藻剤，薬剤等を適時適切に広範囲にわたって偏ることなく混入できる利点が得られる。
【００２８】
次に図５に示す本発明の第４実施形態について説明すると、本実施形態では前述の第３実施形態と全く同様の構成をそなえるほか、駆動水供給系304の途中にスタティックミキサー701が介装され、同ミキサー701の前段に逆止弁702が介装されて、同ミキサー701と逆止弁702との間に、台船410上のコンプレッサー703に連結した気体供給管（ホース）704が接続されている。
【００２９】
上述の本発明の第４実施形態では、前述の第２および第３実施形態と同様の作用効果が得られるほか、駆動水供給系304に接続された気体供給管704により駆動水中に空気，酸素ガス，オゾンガス等の所要気体を効率よく溶かし込むことができ、従来の曝気手段による気体の溶解方式に比べて、設備のコンパクト化をもたらす利点がある。
【００３０】
【発明の効果】
以上詳述したように、本発明の二重エダクター式水域浄化装置によれば次のような効果が得られる。
(1) 両端の開いた水流案内筒の内部に同心的に配置された内部エダクターが、その内部ノズルに駆動水を送り込まれるという二重エダクター方式により、上記内部エダクター自体に上記駆動水に伴う伴流を生じるほか、同内部エダクターからの水流により、同水流に伴う伴流を上記水流案内筒にも生じるので、上記内部エダクターへの駆動水の送給の割に、全体として大量の伴流が生起されるようになる。
(2) 上記内部エダクターの内部へ伴流水を送る吸水管の吸込口の移動手段が設けられると、所要の水塊交換作用が的確に行なわれるようになり、上記大量の伴流の生起と相まって、水域浄化効率の大幅な向上が期待される。
(3) 上記吸水管の途中に、同吸水管の内部水を冷却するための熱交換器が設けられると、同吸水管を経由し上記内部エダクターの伴流として流出する水流の発生が促進され、水域浄化効率が一層高められるようになる。
(4) 上記吸水管の途中に、所要の添加剤を混入させるための添加剤貯槽が接続されていると、必要に応じ伴流中に所要のペーハー（酸性／アルカリ性）調整剤や殺藻剤，薬剤等を適時適切に広範囲にわたって偏ることなく混入できる利点が得られる。
(5) 上記内部エダクターの駆動水供給系に接続された気体供給管により、駆動水中に所要の気体（空気，酸素ガス，オゾンガス等）を溶かし込むように構成されていると、駆動水中への所要気体の溶解を瞬時に効率よく行なえる利点があり、従来の曝気手段による気体の溶解方式に比べて、設備のコンパクト化をもたらすことができる。
【図面の簡単な説明】
【図１】本発明の第１実施形態としての二重エダクター式水域浄化装置の要部を示す縦断面図である。
【図２】本発明の第１実施形態としての二重エダクター式水域浄化装置の全体構成を示す側面図である。
【図３】本発明の第２実施形態としての二重エダクター式水域浄化装置の全体構成を示す側面図である。
【図４】本発明の第３実施形態としての二重エダクター式水域浄化装置の全体構成を示す側面図である。
【図５】本発明の第４実施形態としての二重エダクター式水域浄化装置の全体構成を示す側面図である。
【図６】従来の水域浄化装置の一例を示す縦断面図である。
【図７】  (ａ),(ｂ)図はいずれも従来の水域浄化装置の他の例を示す縦断面図である。
【符号の説明】
301  内部エダクター
301ａ  内部ノズル
302  ケーシング
304  駆動水供給系
305  吸水管
306  ストレーナ付き吸込口
401  水流案内筒
404  アイ
405  ロープ
406  巻取機
408  ポンプ
409  ストレーナ
410  台船
411  係留索
412  シンカー
413  架台
501  熱交換器
601  添加剤貯槽
602  ポンプ
603  バルブ
604  ホース
701  スタティックミキサー
702  逆止弁
703  コンプレッサー
704  気体供給管
【図１】
0003664853.tif 000002
【図２】
0003664853.tif 000003
【図３】
0003664853.tif 000004
【図４】
0003664853.tif 000005
【図５】
0003664853.tif 000006
【図６】
0003664853.tif 000007
【図７】
0003664853.tif 000008